(57)【要約】【課題】  白色表示を行うことができ、表示色の制限を少なくして表示性能を向上させることができる可変表示構造を提供すること。【解決手段】  透光性のあるシート１０ｅに波長の異なる第１光源の光と第２光源の光を切り換えて投光させ、第１表示１２と第２表示１３を行わせる可変表示構造であって、第２光源として設けた紫外線光源４と、シート１０ｅの片面に施された、色光源３の波長を透過させない青色印刷部分１０１と、シート１０ｅの青色印刷部分１０１よりも表示側に設けられた、紫外線光を受けると可視光で発光するUV印刷部分１０２と、色光源３の光と紫外線光源４の光を通過させる透明印刷部分１０３を備えた。【選択図】        図１
2007057730.tif 000002
【特許請求の範囲】
【請求項１】
透光性のあるシートに波長の異なる第１光源の光と第２光源の光を切り換えて投光させ、
第１表示と第２表示を行わせる可変表示構造であって、
第２光源として設けた紫外線光源と、
前記シートの片面に施された、第１光源の波長を透過させない第１印刷部分と、
前記シートの前記第１印刷部分よりも表示側に設けられた、紫外線光を受けると可視光で発光する紫外線層部分と、
前記第１光源の光と前記紫外線光源の光を通過させる通過部分を備えた、
ことを特徴とする可変表示構造。
【請求項２】
請求項１に記載された可変表示構造において、
最も表示側に通過する光の輝度を抑制するスモーク部分を設けた、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、白色表示が困難であり、表示色に制限があり、表示性能が充分ではなかった。
【０００４】
本発明は、上記問題点に着目してなされたもので、その目的とするところは、白色表示を行うことができ、表示色の制限を少なくして表示性能を向上させることができる可変表示構造を提供することにある。
【課題を解決するための手段】
【０００５】
上記目的を達成するため、本発明では、透光性のあるシートに波長の異なる第１光源の光と第２光源の光を切り換えて投光させ、第１表示と第２表示を行わせる可変表示構造であって、第２光源として設けた紫外線光源と、前記シートの片面に施された、第１光源の波長を透過させない第１印刷部分と、前記シートの前記第１印刷部分よりも表示側に設けられた、紫外線光を受けると可視光で発光する紫外線層部分と、前記第１光源の光と前記紫外線光源の光を通過させる通過部分を備えたことを特徴とする。
【発明の効果】
【０００６】
よって、本発明にあっては、白色表示を行うことができ、表示色の制限を少なくして表示性能を向上させることができる。
【発明を実施するための最良の形態】
【０００７】
以下、本発明の請求項１〜３に係る可変表示構造を実現する実施の形態を、実施例１に基づいて説明する。
【実施例１】
【０００８】
まず、構成を説明する。
図１は実施例１の可変表示構造を示す断面図である。図２は実施例１の可変表示構造のカラーフィルタの正面図である。図３は図２のＡ−Ａ断面図である。図４は実施例１の可変表示構造の第１表示と第２表示を示す説明図である。
実施例１は可変表示構造を押して入力を行うスイッチに用いている。
【０００９】
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約６４０nmをピークとする赤色の色光源３と、波長が約３６０nmをピークとし、紫外線を出力する紫外線光源４、押されることによりON/OFFの操作入力を行うタクトスイッチ５を設ける。
【００１０】
色光源３及び紫外線光源４は、LEDがコスト抑制、メンテナンス性から好ましいが、別のものであってもよい。色光源３は他の色であってもよい。
次に内外で２重の枠部分を有するスライダ８を設ける。スライダ８の内部の枠部分は、色光源３及び紫外線光源４側に行くに従って角錐状に内側が狭くなる形状にする。また、スライダ８の内側の枠形状部分は後方に延長し、色光源３及び紫外線光源４の側方を覆うようにする。
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
カラーフィルタ１０の前面部分には、消灯時に外光によって印刷パターンが見えてしまうのを防ぐために全体的に透光性が低くされたスモークレンズ１１を設ける。スモークレンズ１１は、紫外線を遮断する材質のものを用いる。
【００１１】
ここで、スモークレンズ１１、カラーフィルタ１０を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１２】
カラーフィルタ１０は、図２に示すように、透明なシート１０ｅ前面に、第１印刷部分１０ａ、第２印刷部分１０ｂ、第３印刷部分１０ｃ、背景印刷部分１０ｄを設ける。
ここで、第１表示１２を図４(a)に示すように文字の「Ａ」、第２表示１３を図４(b)に示すように文字の「Ｅ」とする。
第１印刷部分１０ａは、第１表示１２である「Ａ」の第２表示１３「Ｅ」と重ならない図２の部分である。この部分は、青色光を通過させる青色印刷部分１０１と、紫外線インクの印刷部分であるUV印刷部分１０２の重なる部分である。青色印刷部分１０１の波長に対する透過効率の特性は、図５の線２１で示す特性となる。UV印刷部分１０２は、可視光をそのまま通過させ、UV光が照射されると、可視光である白色に発光する部分である。UV印刷部分１０２の波長に対する特性は、図５の線２２で示す特性となる（点線で示すのは、可視光に対しそのまま通過、紫外線に対し白色の発光となるためである）。
【００１３】
第２印刷部分１０ｂは、第２表示１３である「Ｅ」の第１表示１２「Ａ」と重ならない図２の部分である。この部分は、可視光、つまり色光源３の光であっても紫外線、つまり紫外線光源４の光であっても通過させる部分であり、透明な透明印刷部分１０３で形成される。なお、この部分は印刷しない部分であってもよい。
第３印刷部分１０ｃは、第１表示１２の「Ａ」と第２表示１３の「Ｅ」とが重なった部分である。この部分は、UV印刷部分１０２と透明印刷部分１０３で形成される。
背景印刷部分１０ｄは、第１〜第３の印刷部分１０ａ〜１０ｃ以外の表示部分であり、黒い印刷である。この部分は色光源３の光を吸収する。表示に寄与しないものであれば、紫外線は通過しても通過させなくてもよい。
【００１４】
次に作用を説明する。
[表示作用]
(a)非表示状態
色光源３、紫外線光源４のどちらも点灯しない状態では、スモークレンズ１１により外から内側への入光も、反射光も輝度と紫外線を抑制されるため、表示構造が外部から見えることも、表示が見えることもない。
【００１５】
(b)第１表示
実施例１において、第１表示１２を表示させるには、紫外線光源４を点灯させ、色光源３を消灯させる。
まず、第１印刷部分１０ａにおいて、紫外線は青色印刷部分１０１を通過するが、不可視光であるため、表示には寄与しない。青色印刷部分１０１を通過した紫外線は、UV印刷部分１０２に照射される。UV印刷部分１０２は紫外線の照射により白色に発光する。なお、UV印刷部分１０２で作り出せる色は、白色だけでなく、自由な色が作れるので、表現の自由度が大幅に広がる。
次に、第２印刷部分１０ｂでは、紫外線は透明印刷部分１０３を通過するが不可視光であるため、表示には寄与しない。
次に、第３印刷部分１０ｃでは、紫外線は透明印刷部分１０３を通過し、UV印刷部分１０２に照射される。UV印刷部分１０２は紫外線の照射により白色に発光する。
また、背景印刷部分１０ｄは、紫外線が通過するが、不可視光であるため、表示に寄与しないか、または紫外線を通過させずに、表示に寄与しない。
これにより、第１表示１２、つまり図４(a)に示す「Ａ」が表示されることになる。
【００１６】
(c)第２表示
実施例１において、第２表示１３を表示させるには、色光源３を点灯させ、紫外線光源４を消灯させる。
まず、第１印刷部分１０ａにおいて、赤色光は、青色印刷部分１０１を図５に特性を示す線２１と線２３の関係から、通過させない。そのため、表示に寄与しない。
次に第２印刷部分１０ｂでは、透明印刷部分１０３を赤色光が通過するため、赤色の表示部分となる。
第３印刷部分１０ｃでは、透明印刷部分１０３、及びUV印刷部分１０２を赤色光が通過するため、赤色の表示部分となる。
また、背景印刷部分１０ｄは、赤色光を通過させない。
これにより、第１表示１２、つまり図４(b)に示す「Ｅ」が表示されることになる。
【００１７】
[スイッチ作用]
実施例１では、操作する人がスモークレンズ１１を押すと、一体化したスライダ８が摺動し、スライダ８の一部８ａがタクトスイッチ５を押す。
スイッチ１としては、基板６に設けられる図示しない回路によって、どちらの表示状態において、タクトスイッチ５に入力があったかを判断し、２つの操作入力として使用する。これにより、１つのスイッチにおいて、異なるモードでの操作入力が可能となる。
さらに、その異なるモードでの操作入力において、モードの状態に変化がある場合には、それを色で表示することが可能となる。よって、操作者は、そのモードの状態を、インジケータ等を設けることなく、知ることができる。
【００１８】
[表示色の制限を広くする作用]
実施例１では、紫外線とUVインクによる印刷部分により、白色表示を行うことができる。白色表示は、背景の黒色とのコントラストが最も強く、見やすい表示ということができる。２つの重ねた表示を行い、且つ白色表示ができることは、非常に見やすい表示を用いることができる。
また、UV印刷部分１０２と赤色光の関係は、UV印刷部分１０２が紫外線を受けた際に発光色と、赤色光を他の色にした場合に制限がないため、第１表示１２と第２表示１３の表示色は比較的、自在に色を選択でき非常に表示性能が向上する。
なお、UV印刷部分１０２と観測者の間にはUVカット層を入れる。実施例１では、スモークレンズ１１は紫外線を遮断する材質にしている。これにより、紫外線光源４から出る紫外線が観測者には届かない。また、外光に含まれる紫外線によってUV印刷部分１０２が発光して表示がわかりにくくなることを防ぐ。
【００１９】
次に効果を説明する。実施例１の可変表示構造にあっては、下記に列挙する効果を得ることができる。
【００２０】
(1)透光性のあるシート１０ｅに波長の異なる第１光源の光と第２光源の光を切り換えて投光させ、第１表示１２と第２表示１３を行わせる可変表示構造であって、第２光源として設けた紫外線光源４と、シート１０ｅの片面に施された、色光源３の波長を透過させない青色印刷部分１０１と、シート１０ｅの青色印刷部分１０１よりも表示側に設けられた、紫外線光を受けると可視光で発光するUV印刷部分１０２と、色光源３の光と紫外線光源４の光を通過させる透明印刷部分１０３を備えたため、白色表示を行うことができ、表示色の制限を少なくして表示性能を向上させることができる。
【００２１】
(2)最も表示側に通過する光の輝度を抑制するスモークレンズ１１を設けたため、色光源３及び紫外線光源４を消灯時に外光によって、内部の表示や表示構造や表示構造の意匠が見えるのを防止することができる。
【００２２】
以上、本発明の可変表示構造を実施例１に基づき説明してきたが、具体的な構成については、これらの実施例に限られるものではなく、特許請求の範囲の各請求項に係る発明の要旨を逸脱しない限り、設計の変更や追加等は許容される。
第１表示、第２表示の色は他の色であってもよい。
青色印刷部分１０１、UV印刷部分１０２、透明印刷部分１０３のシートへの印刷は、シルク印刷、凸版印刷、インクジェット印刷、熱転写印刷があり、いずれの印刷によるものでもよい。また、他の印刷によるものであってもよい。
UV印刷部分１０２は、UVシートであってもよい。
【産業上の利用可能性】
【００２３】
本願の可変表示構造は、スイッチ等のように、簡易的な表示が必要な部位への利用は容易である。
【図面の簡単な説明】
【００２４】
【図１】実施例１の可変表示構造を示す断面図である。
【図２】実施例１の可変表示構造のフィルタの正面図である。
【図３】図２のＡ−Ａ断面図である。
【図４】実施例１の可変表示構造の第１表示と第２表示を示す説明図である。
【図５】実施例１の可変表示構造の印刷部分の特性と各光源の波長との関係を示す説明図である。
【図６】実施例１の可変表示構造の非表示状態の説明図である。
【図７】実施例１の可変表示構造の第１表示を表示した状態の説明図である。
【図８】実施例１の可変表示構造の第２表示を表示した状態の説明図である。
【符号の説明】
【００２５】
１  スイッチ
２  スイッチフィニッシャ
３  色光源
４  紫外線光源
５  タクトスイッチ
６  基板
７  ガイドハウジング
８  スライダ
８ａ  係合部
１０  カラーフィルタ
１０ａ  第１印刷部分
１０ｂ  第２印刷部分
１０ｃ  第３印刷部分
１０ｄ  背景印刷部分
１０ｅ  シート
１０１  青色印刷部分
１０２  UV印刷部分
１０３  透明印刷部分
１１  スモークレンズ
１２  第１表示
１３  第２表示
２１〜２４  線
【図１】
2007057730.tif 000003
【図２】
2007057730.tif 000004
【図３】
2007057730.tif 000005
【図４】
2007057730.tif 000006
【図５】
2007057730.tif 000007
【図６】
2007057730.tif 000008
【図７】
2007057730.tif 000009
【図８】
2007057730.tif 000010